(57)【要約】      （修正有）【課題】支払日を所定期間内で先延ばしする変更を考慮して、所定の販売通知希望額となったことを、ユーザーに警告ないしは通知することができるクレジットカード利用額管理システムを提供する。【解決手段】クレジットカード利用での支払いの管理を行う基幹サーバおよびこの基幹サーバに対して通信可能な顧客端末を備える。顧客端末から支払日の先延ばしの変更の申込があったとき、支払額決定期間に付加期間を加えた支払額決定期間の延長を行う。延長された支払額決定期間において、クレジットカード利用における一回払い販売、分割払い販売および／またはリボルビング払い販売があったとき、それらの支払い額を、延長される前の支払額決定期間における販売累積支払額に加算して、販売総支払額を算出し、販売総支払額が販売通知希望額に達していたとき、その旨を、顧客端末に通信する。【選択図】図１
2019003249.tif 000002
【特許請求の範囲】
【請求項１】
クレジットカード利用での支払いの管理を行う基幹サーバおよびこの基幹サーバに対して通信可能な顧客端末を備え、顧客のクレジットカードの利用に当たって、一回払い販売、分割払い販売、リボルビング払い販売が可能であり、顧客が所定の期日範囲内で、支払日を設定し、それを所定期間内で先延ばしする変更ができ、この支払日の設定・変更により該支払日前における所定の支払額決定期間内の支払額を決定する支払額決定日が自動的に設定され、そして、顧客が前記顧客端末を介して設定することにより、前記支払額決定期間内において、これまでの販売累積支払額が所定の販売通知希望額となったとき、販売累積支払額が所定の販売通知希望額となったことを、顧客に自動的に通知するクレジットカード利用額管理システムにおいて、
前記基幹サーバは、
中央演算回路、
顧客ＩＤを含む顧客情報を記憶する顧客個人属性記憶手段、
前記顧客ＩＤに紐付けて、その顧客の一回払い販売について、販売時点毎での一回払い販売支払い額を記憶する一回払い販売情報記憶手段、
前記顧客ＩＤに紐付けて、その顧客の分割払い販売について、販売時点毎での分割販売今回支払い額を記憶する分割販売情報記憶手段、
前記顧客ＩＤに紐付けて、その顧客のリボルビング払い販売について、販売時点毎でのリボルビング販売今回支払い額を記憶するリボルビング販売情報記憶手段、および
顧客が設定した前記販売通知希望額を記憶する販売通知希望額記憶手段、
を備え、
前記基幹サーバは、前記顧客端末から、前記支払日の先延ばしの変更の申込があったとき、この支払日の先延ばしに基づき前記支払額決定期間に付加期間を加えた支払額決定期間の延長を行い、この延長された支払額決定期間において、クレジットカード利用における一回払い販売、分割払い販売および／またはリボルビング払い販売があったとき、それらの一回払い販売支払い額、分割払い販売今回支払い額および／またはリボルビング払い販売今回支払い額を、前記延長される前の支払額決定期間における販売累積支払額に加算して、販売総支払額を算出し、次いで、この販売総支払額を前記販売通知希望額に照らし、前記販売総支払額が前記販売通知希望額に達していたとき、その旨を、前記顧客端末に通信する
ことを特徴とするクレジットカード利用額管理システム。
【請求項２】
分割払い販売に関し、販売額に基づき、第1回目の今回分割支払額および次回以降の次回以降分割支払額を算出するアプリケーションを持つ分割販売支払額算出手段、およびリボルビング販売に関し、販売額に基づき、第1回目のリボルビング今回支払額および次回以降のリボルビング次回以降支払額を算出するアプリケーションを持つリボルビング販売支払額算出手段を備える請求項１のクレジットカード利用額管理システム。
【請求項３】
前記支払額決定期間内における前記通知希望額の設定を、額の異なった２段階以上とすることができる請求項１または２のクレジットカード利用額管理システム。
【請求項４】
前記顧客のクレジットカードの利用が、店舗におけるＰＯＳ端末または前記顧客端末を介しての利用である請求項１〜３のいずれかのクレジットカード利用額管理システム。
【請求項５】
クレジットカードの利用が、商品の販売のみならず、一回払いキャッシング、分割払いキャッシング、リボルビング払いキャッシングにも適用可能であり、そして、顧客が前記顧客端末を介して設定することにより、前記支払額決定期間内において、これまでのキャッシング累積支払額が所定のキャッシング通知希望額となったとき、キャッシング累積支払額が所定のキャッシング通知希望額となったことを、顧客に自動的に通知するクレジットカード利用額管理システムであって、
前記基幹サーバは、
前記顧客ＩＤに紐付けて、その顧客の一回払いキャッシングについて、キャッシング時点毎での一回払いキャッシング支払い額を記憶する一回払いキャッシング情報記憶手段、および
前記顧客ＩＤに紐付けて、その顧客の分割払いキャッシングについて、キャッシング時点毎での分割キャッシング今回支払い額を記憶する分割キャッシング情報記憶手段、および
前記顧客ＩＤに紐付けて、その顧客のリボルビング払いキャッシングについて、キャッシング時点毎でのリボルビング・キャッシング今回支払い額を記憶するリボルビング・キャッシング情報記憶手段
を備え、
前記基幹サーバは、前記顧客端末から、前記支払日の先延ばしの変更の申込があったとき、この支払日の先延ばしに基づき前記支払額決定期間に付加期間を加えた支払額決定期間の延長を行い、この延長された支払額決定期間において、クレジットカード利用における一回払いキャッシング、分割払いキャッシングおよび／またはリボルビング払いキャッシングがあったとき、それらの一回払いキャッシング支払い額、分割キャッシング今回支払い額および／またはリボルビング・キャッシング今回支払い額を、前記延長される前の支払額決定期間におけるキャッシング累積支払額に加算して、キャッシング総支払額を算出し、次いで、このキャッシング総支払額を前記キャッシング通知希望額に照らし、前記キャッシング総支払額が前記キャッシング通知希望額に達していたとき、その旨を、前記顧客端末に通信する
請求項１〜４のいずれかのクレジットカード利用額管理システム。
【請求項６】
分割払いキャッシングに関し、キャッシング額に基づき、第1回目の今回分割支払額および次回以降の次回以降分割支払額を算出するアプリケーションを持つ分割キャッシング支払額算出手段、およびリボルビング・キャッシングに関し、キャッシング額に基づき、第1回目のリボルビング今回支払額および次回以降のリボルビング次回以降支払額を算出するアプリケーションを持つリボルビング・キャッシング支払額算出手段を備える請求項５のクレジットカード利用額管理システム。
【請求項７】
前記支払額決定期間内における前記キャッシング通知希望額の設定を、額の異なった２段階以上とすることができる請求項６または７のクレジットカード利用額管理システム。
【請求項８】
前記顧客のクレジットカードの利用が、キャッシュディスペンサーまたは前記顧客端末を介しての利用である請求項５〜７のいずれかのクレジットカード利用額管理システム。
【請求項９】
顧客の支払額の管理を、販売とキャッシングの総合で行う請求項５〜８のいずれかのクレジットカード利用額管理システム。
【請求項１０】
請求項１〜４における前記販売通知希望額が、キャッシング通知希望額を含めたものである請求項９のクレジットカード利用額管理システム。
【発明の詳細な説明】
【技術分野】
【０００１】
本発明は、クレジットカード利用額管理システムに関する。
【背景技術】
【０００２】
クレジットカードの利用に関しては、通常、利用限度額が設定されているカード決済システムによって管理されている。このクレジットカード決済システムでは、あらかじめカードのグレードごとに利用限度額が一律に設定されており、限度内に限り商品売買取引が行われる。
【０００３】
しかしながら、従来技術には以下に掲げる問題点があった。上記した従来のカード決済システムでは、カードの利用限度額は顧客の意図する利用限度額ではない、すなわちユーザーが予定していた額より意識せずに使い過ぎてしまう問題点等があった。
【０００４】
また、クレジットカード決済システムの場合は、保険が適用されるものの紛失又は盗難時に第三者の違法使用の危険性があった。また、盗難されたカードが長期に使用しないクレジットカードの場合は本人が知らぬうちにカードを使用され続ける危険性があった。
【０００５】
そこで、このような従来のクレジットカード決済システムの問題点を解消するため、特開２００１−３３８２４９号公報においては、次のようなカード決済システムが提案された。
【０００６】
このカード決済システムの目的とするところは、ユーザーがインターネット経由で自らが設定した使用制限の範囲で買物ができるカード決済システムを提供する点にある。
【０００７】
前記公報に記載されたカード決済システムは、ユーザー端末と、ユーザー携帯電話と、クレジット会社センター端末とを相互に接続する通信回線を備え、前記クレジット会社センター端末はＣＡＦＩＳ経由で接続された小売店端末を備え、前記ユーザー端末は、識別番号を含むログイン情報を入力するためのログイン入力画面とカード制限情報を入力及び表示するためのカード情報データベース画面を表示する手段と、前記ログイン情報と前記カード制限情報とを、前記クレジット会社センター端末に送信する手段とを含み、前記ユーザー携帯電話は、前記ログイン入力画面と前記カード情報データベース画面を表示する手段と、前記ログイン情報と前記カード制限情報とを、前記クレジット会社センター端末に送信する手段とを含み、前記クレジット会社センター端末は、前記ログイン入力画面を前記ユーザー端末又は前記ユーザー携帯電話に送信する手段と、ユーザーから受信される前記ログイン情報にて識別される前記ユーザーごとの前記カード情報データベース画面を前記ユーザー端末又は前記ユーザー携帯電話に送信する手段と、前記ログイン情報と前記カード制限情報を記憶する手段と、前記小売店端末からの照会に対し前記カード制限情報を送信する手段と、前記カード制限情報に基づき警告額到達時に前記ユーザーに警告情報を連絡する手段とを含み、前記小売店端末は、前記ユーザーから提示されるカードにて前記クレジット会社センター端末を備えるクレジット会社に前記ユーザーの照会を行う際に前記クレジット会社センター端末から照会結果とともに前記カード制限情報を受信する手段と、商品売買取引時に前記カード制限情報に基づき取引を行う手段と、前記カード制限情報の設定に基づきオペレータ又はユーザーに警告を行う手段とを含む構成のものである。
【０００８】
前記カード制限情報は、前記カード情報データベース画面から入力されることにより前記クレジット会社センター端末に送信されて記憶され、カードの使用禁止と許可の選択と、一ヶ月ごとの上限額と、前記警告額と、警告時の連絡方法の設定と、一回ごとの上限額の設定とが個別にできる。前記警告情報は、前記警告額到達時に前記警告時の連絡方法の設定によりあらかじめ設定されている、前記ユーザーに電話発信、前記ユーザーに電子メール送信、前記小売店端末を備える小売店に前記カード制限情報とともに送信、のうちいずれかの方法で前記ユーザーに通知される。
【０００９】
以上によれば、警告額到達時、すなわち所定の販売通知希望額となったことを、ユーザーに警告ないしは通知することができる。
【００１０】
ところで、従来のクレジットカード利用額管理システムにおいては、顧客が所定の期日範囲内で、支払日を設定し、それを所定期間内で先延ばしする変更ができるようにしたものがある。
しかしながら、前記の従来のシステムにおいては、この支払日を所定期間内で先延ばしする変更をまったく考慮していない。
【先行技術文献】
【特許文献】
【００１１】
【特許文献１】特開２００１−３３８２４９号公報
【発明の概要】
【発明が解決しようとする課題】
【００１２】
そこで、本発明は、前記したような支払日を所定期間内で先延ばしする変更を考慮して、警告額到達時、すなわち所定の販売通知希望額となったことを、ユーザーに警告ないしは通知することができるクレジットカード利用額管理システムを提供することを目的とするものである。
【課題を解決するための手段】
【００１３】
上記の目的は、本発明の下記（１）〜（１０）の構成のクレジットカード利用額管理システムにより達成される。
（１）
クレジットカード利用での支払いの管理を行う基幹サーバおよびこの基幹サーバに対して通信可能な顧客端末を備え、顧客のクレジットカードの利用に当たって、一回払い販売、分割払い販売、リボルビング払い販売が可能であり、顧客が所定の期日範囲内で、支払日を設定し、それを所定期間内で先延ばしする変更ができ、この支払日の設定・変更により該支払日前における所定の支払額決定期間内の支払額を決定する支払額決定日が自動的に設定され、そして、顧客が前記顧客端末を介して設定することにより、前記支払額決定期間内において、これまでの販売累積支払額が所定の販売通知希望額となったとき、販売累積支払額が所定の販売通知希望額となったことを、顧客に自動的に通知するクレジットカード利用額管理システムにおいて、
前記基幹サーバは、
中央演算回路、
顧客ＩＤを含む顧客情報を記憶する顧客個人属性記憶手段、
前記顧客ＩＤに紐付けて、その顧客の一回払い販売について、販売時点毎での一回払い販売支払い額を記憶する一回払い販売情報記憶手段、
前記顧客ＩＤに紐付けて、その顧客の分割払い販売について、販売時点毎での分割販売今回支払い額を記憶する分割販売情報記憶手段、
前記顧客ＩＤに紐付けて、その顧客のリボルビング払い販売について、販売時点毎でのリボルビング販売今回支払い額を記憶するリボルビング販売情報記憶手段、および
顧客が設定した前記通知希望額を記憶する通知希望額記憶手段、
を備え、
前記基幹サーバは、前記顧客端末から、前記支払日の先延ばしの変更の申込があったとき、この支払日の先延ばしに基づき前記支払額決定期間に付加期間を加えた支払額決定期間の延長を行い、この延長された支払額決定期間において、クレジットカード利用における一回払い販売、分割払い販売および／またはリボルビング払い販売があったとき、それらの一回払い販売支払い額、分割払い販売今回支払い額および／またはリボルビング払い販売今回支払い額を、前記延長される前の支払額決定期間における販売累積支払額に加算して、販売総支払額を算出し、次いで、この販売総支払額を前記販売通知希望額に照らし、前記販売総支払額が前記販売通知希望額に達していたとき、その旨を、前記顧客端末に通信する
ことを特徴とするクレジットカード利用額管理システム。
（２）
分割払い販売に関し、販売額に基づき、第1回目の今回分割支払額および次回以降の次回以降分割支払額を算出するアプリケーションを持つ分割販売支払額算出手段、およびリボルビング販売に関し、販売額に基づき、第1回目のリボルビング今回支払額および次回以降のリボルビング次回以降支払額を算出するアプリケーションを持つリボルビング販売支払額算出手段を備える前記（１）のクレジットカード利用額管理システム。
（３）
前記支払額決定期間内における前記通知希望額の設定を、額の異なった２段階以上とすることができる前記（１）または（２）のクレジットカード利用額管理システム。
（４）
前記顧客のクレジットカードの利用が、店舗におけるＰＯＳ端末または前記顧客端末を介しての利用である前記（１）〜（３）のいずれかのクレジットカード利用額管理システム。
（５）
クレジットカードの利用が、商品の販売のみならず、一回払いキャッシング、分割払いキャッシング、リボルビング払いキャッシングにも適用可能であり、そして、顧客が前記顧客端末を介して設定することにより、前記支払額決定期間内において、これまでのキャッシング累積支払額が所定のキャッシング通知希望額となったとき、キャッシング累積支払額が所定のキャッシング通知希望額となったことを、顧客に自動的に通知するクレジットカード利用額管理システムであって、
前記基幹サーバは、
前記顧客ＩＤに紐付けて、その顧客の一回払いキャッシングについて、キャッシング時点毎での一回払いキャッシング支払い額を記憶する一回払いキャッシング情報記憶手段、および
前記顧客ＩＤに紐付けて、その顧客の分割払いキャッシングについて、キャッシング時点毎での分割キャッシング今回支払い額を記憶する分割キャッシング情報記憶手段、および
前記顧客ＩＤに紐付けて、その顧客のリボルビング払いキャッシングについて、キャッシング時点毎でのリボルビング・キャッシング今回支払い額を記憶するリボルビング・キャッシング情報記憶手段
を備え、
前記基幹サーバは、前記顧客端末から、前記支払日の先延ばしの変更の申込があったとき、この支払日の先延ばしに基づき前記支払額決定期間に付加期間を加えた支払額決定期間の延長を行い、この延長された支払額決定期間において、クレジットカード利用における一回払いキャッシング、分割払いキャッシングおよび／またはリボルビング払いキャッシングがあったとき、それらの一回払いキャッシング支払い額、分割キャッシング今回支払い額および／またはリボルビング・キャッシング今回支払い額を、前記延長される前の支払額決定期間におけるキャッシング累積支払額に加算して、キャッシング総支払額を算出し、次いで、このキャッシング総支払額を前記キャッシング通知希望額に照らし、前記キャッシング総支払額が前記キャッシング通知希望額に達していたとき、その旨を、前記顧客端末に通信する
前記（１）〜（４）のいずれかのクレジットカード利用額管理システム。
（６）
分割払いキャッシングに関し、キャッシング額に基づき、第1回目の今回分割支払額および次回以降の次回以降分割支払額を算出するアプリケーションを持つ分割キャッシング支払額算出手段、およびリボルビング・キャッシングに関し、キャッシング額に基づき、第1回目のリボルビング今回支払額および次回以降のリボルビング次回以降支払額を算出するアプリケーションを持つリボルビング・キャッシング支払額算出手段を備える前記（５）のクレジットカード利用額管理システム。
（７）
前記支払額決定期間内における前記キャッシング通知希望額の設定を、額の異なった２段階以上とすることができる前記（６）または（７）のクレジットカード利用額管理システム。
（８）
前記顧客のクレジットカードの利用が、キャッシュディスペンサーまたは前記顧客端末を介しての利用である前記（５）〜（７）のいずれかのクレジットカード利用額管理システム。
（９）
顧客の支払額の管理を、販売とキャッシングの総合で行う前記（５）〜（８）のいずれかのクレジットカード利用額管理システム。
（１０）
前記（１）〜（４）における前記販売通知希望額が、キャッシング通知希望額を含めたものである前記（９）のクレジットカード利用額管理システム。
【発明の効果】
【００１４】
本発明のクレジットカード利用額管理システムにおいては、上記した構成であるので、顧客が支払日の先延ばしの変更を申請したとき、支払額検定日ひいては支払額決定期間が自動的に変更されるが、このときでも、これに対応して通知希望額の機能を正常に果たすことができる。
【図面の簡単な説明】
【００１５】
【図１】図１は、本発明の実施の形態によるクレジットカード利用額管理システムの概要を示すブロックダイヤグラムである。
【図２】図１に示したクレジットカード利用額管理システムの作動の説明を行うための説明図である。
【図３】図１に示したクレジットカード利用額管理システムの作動の説明を行うための説明図である。
【発明を実施するための形態】
【００１６】
以下、添付図面を参照しつつ、本発明の実施形態によるクレジットカード利用額管理システムを説明する。
図１は、本発明の実施形態によるクレジットカード利用額管理システムのブロック図である。
【００１７】
本発明の実施形態によるクレジットカード利用額管理システムは、クレジットカード利用での支払いの管理を行う基幹サーバ１０およびこの基幹サーバ１０に対して通信可能な顧客端末１００を備え、顧客のクレジットカードの利用に当たって、一回払い販売、分割払い販売、リボルビング払い販売が可能であり、顧客が所定の期日範囲内で、支払日を設定し、それを所定期間内で先延ばしする変更ができ、この支払日の設定・変更により該支払日前における所定の支払額決定期間内の支払額を決定する支払額決定日が自動的に設定され、そして、顧客が前記顧客端末を介して設定することにより、前記支払額決定期間内において、これまでの販売累積支払額が所定の販売通知希望額となったとき、販売累積支払額が所定の販売通知希望額となったことを、顧客に自動的に通知するクレジットカード利用額管理システムである。
【００１８】
前記基幹サーバ１０は、入出力制御回路１２、およびこの入出力制御回路１２に接続され、種々の演算や一時的な記憶を行う中央演算回路１４を備えている。
【００１９】
そして、前記基幹サーバ１０は、更に、顧客が、前記顧客端末１００を介して、支払日を設定・変更するアプリケーションを記憶する支払日設定・変更アプリ記憶手段１６を備えている。前記中央演算回路１４は、この支払日設定・変更アプリに基づき、例えば、前記顧客端末１００の操作により、クレジットカードの使用によって生じた支払金の支払日の設定・変更を行う。
この設定・変更される支払日は、通常、月の特定の日、例えば、5日、１０日・・・から選択するようになっている。
前記支払日設定・変更アプリには、支払日が設定・変更されると、その支払日に支払うべき累計金額を決定する締切日を自動的に設定・変更する機能（プログラム）が盛り込まれていることが好ましい。
前記支払日設定・変更アプリ記憶手段１６により設定・変更された支払日ならびに締切日は、前記基幹サーバ１０が備える支払日・締切日記憶手段１７に記憶される。
【００２０】
前記基幹サーバ１０は、更にまた、分割払い販売支払額算出手段１８およびリボルビング払い販売支払額算出手段２０を備えている。
分割払い販売支払額算出手段１８は、分割払い販売（購入）があったとき、商品価格、手数料および利息に基づき、初回支払額および次回からの支払額を算出する。一方、リボルビング払い販売支払額算出手段２０は、商品購入額の大きさに基づいた支払いコース（例えば、支払額１万円コース：購入額が１０万円までは、毎月の支払額が１万円、支払額２万円コース：購入額が１０万円を越えて、２０万円までは、毎月の支払額が２万円等）のチャートを記憶しており、商品の購入があったとき、その額を前記チャートに照らして、支払コースを定める、
【００２１】
基幹サーバ１０は、本クレジットカード利用額管理システムが、後に簡単に説明するキャッシングの管理にも適用される場合には、更に、前記分割払い販売支払額算出手段１８およびリボルビング払い販売支払額算出手段２０と同様の機能を有する、分割返済キャッシング返済額算出手段２２およびリボルビング返済キャッシング返済額算出手段２４を備えている。
【００２２】
そしてまた、基幹サーバ１０は、本クレジットカード利用額管理システムの機能を補助するための種々の記憶手段を備えている。
記憶手段の例を挙げると、顧客ＩＤを含む顧客情報を記憶する顧客個人属性記憶手段３０、前記顧客ＩＤに紐付けて、その顧客の一回払い販売について、販売時点毎での一回払い販売支払い額を記憶する一回払い販売情報記憶手段３２、前記顧客ＩＤに紐付けて、その顧客の分割払い販売について、前記分割払い販売支払額算出手段１８が算出した初回支払額および次回からの支払額を記憶する分割販売情報記憶手段３４、および、前記顧客ＩＤに紐付けて、その顧客のリボルビング払い販売について、前記リボルビング払い販売支払額算出手段２０が定めた支払コースを記憶するリボルビング販売情報記憶手段３６を備えている。
【００２３】
前記基幹サーバ１０は、更に、支払累計額記憶手段３８を備えており、前記中央演算回路１４は、この支払累計額記憶手段３８に記憶された前回までの支払累計額に今回の支払額を加算した新たな支払累計額を算出し、この新たな支払累計額を該支払累計額記憶手段３８に記憶させる。
【００２４】
中央演算回路１４は、本クレジットカード利用額管理システムが、キャッシングの管理にも適用される場合には、一回返済キャッシング情報記憶手段４０、分割返済キャッシング情報記憶手段４２およびリボルビング返済キャッシング情報記憶手段４４を備えている。これらのキャッシングの管理のための記憶手段は、販売管理のための記憶手段の機能等と同様の機能等を備えている。
【００２５】
基幹サーバ１０は、更に、中央演算回路１４に接続され、前記通知希望額の設定・変更を行うための通知希望額の設定・変更アプリケーションを記憶した通知希望額の設定・変更アプリ記憶手段５０を備えている。前記通知希望額の設定・変更は、通常、この通知希望額の設定・変更アプリケーションを用いて、前記顧客端末１００を介して行われる。
前記通知希望額は、購入額、キャッシング額をそれぞれ単独で、また、両者を加算した額とされ、通知希望額記憶手段５２に記憶される。
【００２６】
前記基幹サーバ１０への種々の情報の入力は、販売情報については店頭のPOS端末１０２から、キャッシング情報については、種々の場所に設けられたキャッシュディスペンサーまたはＡＴＭ１０４からも行われる。
【００２７】
前記基幹サーバ１０は、更に、通知希望額到達通知アプリケーションを記憶した通知希望額到達通知アプリ記憶手段５４を備えている。この通知希望額到達通知アプリ記憶手段５４は、例えば、「あなたのクレジット御利用額は通知ご希望額の１０万円に到達しましたので、お知らせします。」等のメッセージを記憶している。
【００２８】
前記基幹サーバ１０は、前記中央演算回路１４に接続された判定手段６０を備えている。この判定手段６０は、前記中央演算回路１４が算出した前記新たな支払累計額が通知希望額記憶手段５２に記憶された通知希望額に達していないかを判断する。
中央演算回路１４は、該中央演算回路１４が算出した前記新たな支払累計額が通知希望額記憶手段５２に記憶された通知希望額に達したと、この判定手段６０が判断したとき、前記通知希望額到達通知アプリ記憶手段５４中の通知希望額到達通知アプリケーションを用いて、前記メッセージを前記顧客端末１００に通知する。
【００２９】
次に、通知希望額を１０万円と２０万円の２段に設定し、便宜上、支払日（第１）を５月１日、その締切日（第１）を３月１日として説明する。
この状態で、前記第１締切日（３月１日）までの、２月１０日および２月２０日にそれぞれ４万円のクレジットカードの利用があり、前記第１締切日を越えた３月５日に５万円のクレジットカードの利用（分割、リボルビング払いの場合には、初回の支払額）があったとする。
【００３０】
以上の状態では、前記第１締切日（３月１日）までの支払累計額が８万円なので、通知希望額に達しておらず、基幹サーバ１０は、顧客に対し何らの通知をも行わない。
【００３１】
ところで、前記の購入状態で、顧客が支払日を５月１０に先延ばしの申請を行うと、支払日が５月１０日に設定されるとともに、締切日も３月１０日に先延ばしにされる。
すると、締切日までには、３月５日の５万円が含められ、累計金額が１３万円となる。
【００３２】
この累計額を、第１段目の通知希望額１０万円と比較すると、この第１段目の通知希望額１０万円を越えているので、その旨が顧客に通知される（以上、図２参照）。
【００３３】
また、３月５日のクレジットカード利用金額が５万円でなく、１５万円であったとすると、第１段目の通知希望額１０万円、第２段目の通知希望額２０万円と比較すると、これらの第１段目の通知希望額１０万円、第２段目の通知希望額２０万円を越えているので、その旨が顧客に通知される（以上、図３参照）。
【００３４】
本発明のクレジットカード利用額管理システムにおいては、以上説明した通りであるので、顧客が支払日の先延ばしの変更を申請したとき、支払額検定日ひいては支払額決定期間が自動的に変更されるが、このときでも、これに対応して通知希望額の機能を正常に果たすことができる。
【符号の説明】
【００３５】
１０  基幹サーバ
１００  顧客端末
１０２  ＰＯＳ端末
１０４  キャッシュディスペンサー
【図１】
2019003249.tif 000003
【図２】
2019003249.tif 000004
【図３】
2019003249.tif 000005
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
クレジットカード利用での支払いの管理を行う基幹サーバおよびこの基幹サーバに対して通信可能な顧客端末を備え、顧客のクレジットカードの利用に当たって、一回払い販売、分割払い販売、リボルビング払い販売が可能であり、顧客が所定の期日範囲内で、支払日を設定し、それを所定期間内で先延ばしする変更ができ、この支払日の設定・変更により該支払日前における所定の支払額決定期間内の支払額を決定する支払額決定日が自動的に設定され、そして、顧客が前記顧客端末を介して設定することにより、前記支払額決定期間内において、これまでの販売累積支払額が所定の販売通知希望額となったとき、販売累積支払額が所定の販売通知希望額となったことを、顧客に自動的に通知するクレジットカード利用額管理システムにおいて、
前記基幹サーバは、
中央演算回路、
顧客ＩＤを含む顧客情報を記憶する顧客個人属性記憶手段、
前記顧客ＩＤに紐付けて、その顧客の一回払い販売について、販売時点毎での一回払い販売支払い額を記憶する一回払い販売情報記憶手段、
前記顧客ＩＤに紐付けて、その顧客の分割払い販売について、販売時点毎での分割販売今回支払い額を記憶する分割販売情報記憶手段、
前記顧客ＩＤに紐付けて、その顧客のリボルビング払い販売について、販売時点毎でのリボルビング販売今回支払い額を記憶するリボルビング販売情報記憶手段、および
顧客が設定した前記販売通知希望額を記憶する販売通知希望額記憶手段、
を備え、
前記基幹サーバは、前記顧客端末から、前記支払日の先延ばしの変更の申込があったとき、この支払日の先延ばしに基づき前記支払額決定期間に付加期間を加えた支払額決定期間の延長を行い、この支払額決定期間の延長があった時点で、前記付加期間において、既に、クレジットカード利用における一回払い販売、分割払い販売および／またはリボルビング払い販売があったとき、それらの一回払い販売支払い額、分割払い販売今回支払い額および／またはリボルビング払い販売今回支払い額を、前記延長される前の支払額決定期間における販売累積支払額に加算して、販売総支払額を算出し、次いで、この販売総支払額を前記販売通知希望額に照らし、前記販売総支払額が前記販売通知希望額に達していたとき、その旨を、前記顧客端末に通信する
ことを特徴とするクレジットカード利用額管理システム。
【請求項２】
分割払い販売に関し、販売額に基づき、第1回目の今回分割支払額および次回以降の次回以降分割支払額を算出するアプリケーションを持つ分割販売支払額算出手段、およびリボルビング販売に関し、販売額に基づき、第1回目のリボルビング今回支払額および次回以降のリボルビング次回以降支払額を算出するアプリケーションを持つリボルビング販売支払額算出手段を備える請求項１のクレジットカード利用額管理システム。
【請求項３】
前記支払額決定期間内における前記通知希望額の設定を、額の異なった２段階以上とすることができる請求項１または２のクレジットカード利用額管理システム。
【請求項４】
前記顧客のクレジットカードの利用が、店舗におけるＰＯＳ端末または前記顧客端末を介しての利用である請求項１〜３のいずれかのクレジットカード利用額管理システム。
【請求項５】
クレジットカードの利用が、商品の販売のみならず、一回払いキャッシング、分割払いキャッシング、リボルビング払いキャッシングにも適用可能であり、そして、顧客が前記顧客端末を介して設定することにより、前記支払額決定期間内において、これまでのキャッシング累積支払額が所定のキャッシング通知希望額となったとき、キャッシング累積支払額が所定のキャッシング通知希望額となったことを、顧客に自動的に通知するクレジットカード利用額管理システムであって、
前記基幹サーバは、
前記顧客ＩＤに紐付けて、その顧客の一回払いキャッシングについて、キャッシング時点毎での一回払いキャッシング支払い額を記憶する一回払いキャッシング情報記憶手段、および
前記顧客ＩＤに紐付けて、その顧客の分割払いキャッシングについて、キャッシング時点毎での分割キャッシング今回支払い額を記憶する分割キャッシング情報記憶手段、および
前記顧客ＩＤに紐付けて、その顧客のリボルビング払いキャッシングについて、キャッシング時点毎でのリボルビング・キャッシング今回支払い額を記憶するリボルビング・キャッシング情報記憶手段
を備え、
前記基幹サーバは、前記顧客端末から、前記支払日の先延ばしの変更の申込があったとき、この支払日の先延ばしに基づき前記支払額決定期間に付加期間を加えた支払額決定期間の延長を行い、この延長された支払額決定期間において、クレジットカード利用における一回払いキャッシング、分割払いキャッシングおよび／またはリボルビング払いキャッシングがあったとき、それらの一回払いキャッシング支払い額、分割キャッシング今回支払い額および／またはリボルビング・キャッシング今回支払い額を、前記延長される前の支払額決定期間におけるキャッシング累積支払額に加算して、キャッシング総支払額を算出し、次いで、このキャッシング総支払額を前記キャッシング通知希望額に照らし、前記キャッシング総支払額が前記キャッシング通知希望額に達していたとき、その旨を、前記顧客端末に通信する
請求項１〜４のいずれかのクレジットカード利用額管理システム。
【請求項６】
分割払いキャッシングに関し、キャッシング額に基づき、第1回目の今回分割支払額および次回以降の次回以降分割支払額を算出するアプリケーションを持つ分割キャッシング支払額算出手段、およびリボルビング・キャッシングに関し、キャッシング額に基づき、第1回目のリボルビング今回支払額および次回以降のリボルビング次回以降支払額を算出するアプリケーションを持つリボルビング・キャッシング支払額算出手段を備える請求項５のクレジットカード利用額管理システム。
【請求項７】
前記支払額決定期間内における前記キャッシング通知希望額の設定を、額の異なった２段階以上とすることができる請求項６または７のクレジットカード利用額管理システム。
【請求項８】
前記顧客のクレジットカードの利用が、キャッシュディスペンサーまたは前記顧客端末を介しての利用である請求項５〜７のいずれかのクレジットカード利用額管理システム。
【請求項９】
顧客の支払額の管理を、販売とキャッシングの総合で行う請求項５〜８のいずれかのクレジットカード利用額管理システム。
【請求項１０】
請求項１〜４における前記販売通知希望額が、キャッシング通知希望額を含めたものである請求項９のクレジットカード利用額管理システム。
【手続補正２】
【補正対象書類名】明細書
【補正対象項目名】００１３
【補正方法】変更
【補正の内容】
【００１３】
上記の目的は、本発明の下記（１）〜（１０）の構成のクレジットカード利用額管理システムにより達成される。
（１）
クレジットカード利用での支払いの管理を行う基幹サーバおよびこの基幹サーバに対して通信可能な顧客端末を備え、顧客のクレジットカードの利用に当たって、一回払い販売、分割払い販売、リボルビング払い販売が可能であり、顧客が所定の期日範囲内で、支払日を設定し、それを所定期間内で先延ばしする変更ができ、この支払日の設定・変更により該支払日前における所定の支払額決定期間内の支払額を決定する支払額決定日が自動的に設定され、そして、顧客が前記顧客端末を介して設定することにより、前記支払額決定期間内において、これまでの販売累積支払額が所定の販売通知希望額となったとき、販売累積支払額が所定の販売通知希望額となったことを、顧客に自動的に通知するクレジットカード利用額管理システムにおいて、
前記基幹サーバは、
中央演算回路、
顧客ＩＤを含む顧客情報を記憶する顧客個人属性記憶手段、
前記顧客ＩＤに紐付けて、その顧客の一回払い販売について、販売時点毎での一回払い販売支払い額を記憶する一回払い販売情報記憶手段、
前記顧客ＩＤに紐付けて、その顧客の分割払い販売について、販売時点毎での分割販売今回支払い額を記憶する分割販売情報記憶手段、
前記顧客ＩＤに紐付けて、その顧客のリボルビング払い販売について、販売時点毎でのリボルビング販売今回支払い額を記憶するリボルビング販売情報記憶手段、および
顧客が設定した前記通知希望額を記憶する通知希望額記憶手段、
を備え、
前記基幹サーバは、前記顧客端末から、前記支払日の先延ばしの変更の申込があったとき、この支払日の先延ばしに基づき前記支払額決定期間に付加期間を加えた支払額決定期間の延長を行い、この支払額決定期間の延長があった時点で、前記付加期間において、既に、クレジットカード利用における一回払い販売、分割払い販売および／またはリボルビング払い販売があったとき、それらの一回払い販売支払い額、分割払い販売今回支払い額および／またはリボルビング払い販売今回支払い額を、前記延長される前の支払額決定期間における販売累積支払額に加算して、販売総支払額を算出し、次いで、この販売総支払額を前記販売通知希望額に照らし、前記販売総支払額が前記販売通知希望額に達していたとき、その旨を、前記顧客端末に通信する
ことを特徴とするクレジットカード利用額管理システム。
（２）
分割払い販売に関し、販売額に基づき、第1回目の今回分割支払額および次回以降の次回以降分割支払額を算出するアプリケーションを持つ分割販売支払額算出手段、およびリボルビング販売に関し、販売額に基づき、第1回目のリボルビング今回支払額および次回以降のリボルビング次回以降支払額を算出するアプリケーションを持つリボルビング販売支払額算出手段を備える前記（１）のクレジットカード利用額管理システム。
（３）
前記支払額決定期間内における前記通知希望額の設定を、額の異なった２段階以上とすることができる前記（１）または（２）のクレジットカード利用額管理システム。
（４）
前記顧客のクレジットカードの利用が、店舗におけるＰＯＳ端末または前記顧客端末を介しての利用である前記（１）〜（３）のいずれかのクレジットカード利用額管理システム。
（５）
クレジットカードの利用が、商品の販売のみならず、一回払いキャッシング、分割払いキャッシング、リボルビング払いキャッシングにも適用可能であり、そして、顧客が前記顧客端末を介して設定することにより、前記支払額決定期間内において、これまでのキャッシング累積支払額が所定のキャッシング通知希望額となったとき、キャッシング累積支払額が所定のキャッシング通知希望額となったことを、顧客に自動的に通知するクレジットカード利用額管理システムであって、
前記基幹サーバは、
前記顧客ＩＤに紐付けて、その顧客の一回払いキャッシングについて、キャッシング時点毎での一回払いキャッシング支払い額を記憶する一回払いキャッシング情報記憶手段、および
前記顧客ＩＤに紐付けて、その顧客の分割払いキャッシングについて、キャッシング時点毎での分割キャッシング今回支払い額を記憶する分割キャッシング情報記憶手段、および
前記顧客ＩＤに紐付けて、その顧客のリボルビング払いキャッシングについて、キャッシング時点毎でのリボルビング・キャッシング今回支払い額を記憶するリボルビング・キャッシング情報記憶手段
を備え、
前記基幹サーバは、前記顧客端末から、前記支払日の先延ばしの変更の申込があったとき、この支払日の先延ばしに基づき前記支払額決定期間に付加期間を加えた支払額決定期間の延長を行い、この延長された支払額決定期間において、クレジットカード利用における一回払いキャッシング、分割払いキャッシングおよび／またはリボルビング払いキャッシングがあったとき、それらの一回払いキャッシング支払い額、分割キャッシング今回支払い額および／またはリボルビング・キャッシング今回支払い額を、前記延長される前の支払額決定期間におけるキャッシング累積支払額に加算して、キャッシング総支払額を算出し、次いで、このキャッシング総支払額を前記キャッシング通知希望額に照らし、前記キャッシング総支払額が前記キャッシング通知希望額に達していたとき、その旨を、前記顧客端末に通信する
前記（１）〜（４）のいずれかのクレジットカード利用額管理システム。
（６）
分割払いキャッシングに関し、キャッシング額に基づき、第1回目の今回分割支払額および次回以降の次回以降分割支払額を算出するアプリケーションを持つ分割キャッシング支払額算出手段、およびリボルビング・キャッシングに関し、キャッシング額に基づき、第1回目のリボルビング今回支払額および次回以降のリボルビング次回以降支払額を算出するアプリケーションを持つリボルビング・キャッシング支払額算出手段を備える前記（５）のクレジットカード利用額管理システム。
（７）
前記支払額決定期間内における前記キャッシング通知希望額の設定を、額の異なった２段階以上とすることができる前記（６）または（７）のクレジットカード利用額管理システム。
（８）
前記顧客のクレジットカードの利用が、キャッシュディスペンサーまたは前記顧客端末を介しての利用である前記（５）〜（７）のいずれかのクレジットカード利用額管理システム。
（９）
顧客の支払額の管理を、販売とキャッシングの総合で行う前記（５）〜（８）のいずれかのクレジットカード利用額管理システム。
（１０）
前記（１）〜（４）における前記販売通知希望額が、キャッシング通知希望額を含めたものである前記（９）のクレジットカード利用額管理システム。